(57)【要約】【課題】長時間撮影を行う場合においても、素早く適切に動画ファイルを記憶することができる。【解決手段】光学レンズ２により集光された光を電気信号へ変換する撮像素子３と、変換された電気信号に基づいて所定の時間間隔毎にＭＰＥＧ規格に準拠した画素構成の静止画像データを生成するタイムラプス画像処理回路５ｂと、生成された静止画像データに、一意に識別可能なファイル名を割り当てて静止画像データ記憶部８ａに記憶させる静止画像記憶制御回路９ａと、動画像ファイルの生成が要求された場合に、静止画像データ記憶部８ａから読み出された所定枚数分の静止画像データに基づいて、ＭＰＥＧ規格に準拠した動画像ファイルを生成する動画像変換回路９ｂと、この生成された動画像ファイルにＳＤ−Ｖｉｄｅｏ規格に準拠した番号体系でファイル名を割り当てて動画像データ記憶部８ａに記憶させる動画像記憶制御回路９ｃとを備える。【選択図】図１
2010016599.tif 000002
【特許請求の範囲】
【請求項１】
所定時間間隔で間欠的に静止画像を撮影し、この撮影した静止画像データに基づいて生成した動画像データを動画像ファイルとして記録するカメラであって、
光学系により集光された光を電気信号へ変換する撮像素子と、
前記撮像素子により変換された電気信号に基づいて、所定の時間間隔毎にＭＰＥＧ規格に準拠した垂直方向及び水平方向の画素数で静止画像データを生成するタイムラプス画像処理手段と、
前記タイムラプス画像処理手段により生成された静止画像データに、一意に識別可能であり、かつＳＤ−Ｖｉｄｅｏ規格に準拠しない任意のファイル名を割り当てて静止画像データ記憶手段に記憶させる静止画像記憶制御手段と、
前記動画像ファイルの生成を要求する操作信号が外部から供給された場合に、前記静止画像データ記憶手段から所定枚数分の前記静止画像データを読み出し、この読み出した静止画像データに基づいて、ＭＰＥＧ規格に準拠した動画像ファイルを生成する動画像変換手段と、
前記動画像変換手段により生成された動画像ファイルにＳＤ−Ｖｉｄｅｏ規格に準拠した番号体系でファイル名を割り当てて動画像データ記憶手段に記憶させる動画像記憶制御手段と、
を備えたことを特徴とするカメラ。
【請求項２】
ＳＤ−Ｖｉｄｅｏ規格に準拠した番号体系で動画像ファイルを記憶する動画像データ記憶手段と、
前記動画像データ記憶手段のファイルシステムにおけるファイル容量の上限以下である前記動画像ファイルを、一意に識別可能であり、かつＳＤ−Ｖｉｄｅｏ規格に準拠しない任意の番号体系で記憶する動画像データ一時記憶手段と、
光学系により集光された光を電気信号へ変換する撮像素子と、
前記撮像素子により変換された電気信号に基づいて、ＭＰＥＧ規格に準拠した動画像データを生成する動画像生成手段と、
前記生成された動画像データに基づいて、前記動画像データ記憶手段のファイルシステムによるファイル容量の上限値を超えないように動画像ファイルを生成し、この生成された動画ファイルに、一意に識別可能であり、かつＳＤ−Ｖｉｄｅｏ規格に準拠しない任意のファイル番号を割り当てて前記動画像データ一時記憶手段に記憶させる動画像一時記憶制御手段と、
前記動画像データ一時記憶手段に記憶された動画像ファイルから１又は複数の動画像ファイルを選択する操作信号が外部から供給された場合に、この操作信号に基づいて前記１又は複数の動画像ファイルを選択する動画像選択手段と、
前記動画像ファイルの記録を要求する操作信号が外部から供給された場合に、前記動画像データ一時記憶手段から前記動画像選択手段により選択された１又は複数の動画像ファイルを読み出し、この読み出された動画像ファイルをＳＤ−Ｖｉｄｅｏ規格に準拠した番号体系のファイル名に変換し、この変換された動画像ファイルを前記動画像データ記憶手段に記憶させる動画像記憶制御手段と、
を備えたことを特徴とするカメラ。
【発明の詳細な説明】
【技術分野】
【０００１】
本発明は、長時間撮影を行う場合においても、素早く適切に動画像ファイルを記憶することができるカメラに関する。
【背景技術】
【０００２】
一般的に、監視カメラシステム等の分野において、映像のタイムラプス記録機能を有するタイムラプスディジタルレコーダが普及している（例えば特許文献１参照）。
【０００３】
ここで、タイムラプス記録とは、所定時間間隔で間欠的に撮影した静止画像データ（インターバル撮影した静止画像データ）を連続した１本の動画像データとして記録するものである。例えば、植物の成長の様子を所定時間間隔で撮影し、時間軸を短縮した１本の動画像データにするというものである。
【０００４】
一方、画像ファイル及び画像に関連するファイルを、ディジタルカメラと関連機器との間で簡便に交換するための規格であるＤＣＦ（Design rule for Camera File system）規格に準拠したディジタルカメラが普及しており、このＤＣＦ規格においては、ファイル形式としてＪＰＥＧ（Joint Photographic Experts Group）がサポートされている。
【０００５】
そこで、ＤＣＦ規格を準拠しつつタイムラプス記録を行うカメラが切望されているが、このようなＤＣＦ規格準拠のカメラでは、他の関連機器との間でデータ交換が容易になる反面、様々な規格上の制限が課されることとなる。
【０００６】
例えば、ＤＣＦ規格では、フォルダ数の上限が９００、及び１フォルダ当たりのファイル数の上限が９９９９個に制限されている。
【０００７】
そのため、長時間撮影が前提となる監視カメラシステムにＤＣＦ規格準拠のカメラを適用した場合、撮影したＪＰＥＧ画像のファイル数やフォルダ数の上限をオーバーし、カメラの撮影が停止してしまう場合があった。そして、停止した後に撮影を再開する場合、利用者はこれらのデータ数やフォルダ数の上限を越えないようにフォルダ構成やファイル構成を編集する必要があり、この編集作業に相当の時間を要し、動画像データの記録に遅延が生じる場合があった。さらに、カメラの撮影が停止してしまった場合、肝心な映像を撮り損なう場合もあった。
【０００８】
また、タイムラプス記録により動画像データを記録する際には、動画像符号化の汎用的な規格であるＭＰＥＧ（Moving Picture Experts Group）規格準拠のファイル形式で記録することが望ましい。
【０００９】
しかしながら、ＤＣＦ規格準拠のカメラにて撮影された静止画像データとＭＰＥＧ規格における動画像データでは、その画素構成（水平方向の画素数＊垂直方向の画素数）が異なる場合が多い。
【００１０】
ＤＣＦ規格準拠のカメラは、ＰＣ（パーソナルコンピュータ）等の関連機器との間で静止画像データを交換することが前提とされているので、静止画像アスペクト比４：３だと、通常６８０＊４８０（ピクセル）の画素構成を有しているのに対し、ＭＰＥＧ規格における動画像アスペクト比４：３では、７２０＊４８０（ピクセル）及び７２０＊５７６（ピクセル）の画素構成をサポートしている。
【００１１】
そのため、タイムラプス記録機能を有するＤＣＦ規格準拠のカメラでは、６８０＊４８０（ピクセル）で撮影したＪＰＥＧ形式の静止画像データを、７２０＊４８０（ピクセル）又は７２０＊５７６（ピクセル）のＭＰＥＧ形式の動画像データへ画素密度変換する必要があった。そのため、この動画像データへの画素密度変換に相当の時間を要し、利用者は撮影した直後の動画像を見ることができなかった。
【００１２】
特許文献１には、所定の時間間隔毎に静止画を撮影して生成した静止画群を記録するとともに、それら静止画群を１本の動画データに変換して記録する場合において、対応する静止画データと動画データとをリンクして記録する光ディスク記録装置が提案されている。
【００１３】
一方、監視カメラシステム等の分野において、停止することなく撮影し続けるエンドレス撮影を可能としたディジタルビデオカメラが普及している。
【００１４】
このようなエンドレス撮影が可能なディジタルビデオカメラには、例えばハードディスクが内蔵されており、このハードディスクにエンドレス撮影した動画像データを記憶するものがある。
【００１５】
このようなディジタルビデオカメラに内蔵されるハードディスクは、ＦＡＴ３２等のファイルシステムにフォーマットされていることが多く、このファイルシステムにより様々な制限が課されることとなる。
【００１６】
例えば、ＦＡＴ３２では、１ファイルの最大容量は４ＧＢであり、これより大きいファイルは記憶することができない。
【００１７】
また、内蔵されるハードディスクに記憶された動画像データをＳＤメモリカード等の記憶媒体を用いて他の機器と動画像データと共有することができるＳＤ−Ｖｉｄｅｏ規格に準拠したディジタルビデオカメラが普及している。
【００１８】
そこで、ＳＤ−Ｖｉｄｅｏ規格を準拠しつつエンドレス撮影された動画像データをＦＡＴ３２ファイルシステムに記憶することができるディジタルビデオカメラが切望されているが、ＳＤ−Ｖｉｄｅｏ規格準拠のディジタルビデオカメラでは、ＳＤメモリカードとの間でデータ交換が容易になる反面、様々な規格上の制限が課されることとなる。
【００１９】
例えば、ＳＤ−Ｖｉｄｅｏ規格では、フォルダ数の上限が９９、及び１フォルダ当たりのファイル数の上限が９９個に制限されている。
【００２０】
そのため、エンドレス撮影が可能な監視カメラシステムに、ＳＤ−Ｖｉｄｅｏ規格を準拠しつつエンドレス撮影された動画像データをＦＡＴ３２ファイルシステムに記憶することができるディジタルビデオカメラを適用した場合、撮影した動画像データのファイル数、フォルダ数、又は１ファイルの最大容量の上限をオーバーし、ディジタルビデオカメラの撮影が停止してしまう場合があった。このように停止した後に撮影を再開する場合、利用者はこれらのデータ数、フォルダ数、及びファイル容量の上限を越えないようにフォルダ構成やファイル構成を編集する必要があり、この作業に相当の時間を要し、動画像データの記録に遅延が生じる場合があった。さらに、ディジタルビデオカメラの撮影が停止してしまった場合、肝心な映像を撮り損なう場合があった。
【００２１】
そこで、特許文献２には、オートフォーカス動作に並行して取り込まれる画像を循環的に一時記憶メモリに記憶すると共に、カメラの手ブレ量を検出して手ブレをグラフ化し、そして線グラフとしてグラフ表示欄内に表示し、撮影指示があると、その時点で循環的に記憶されている手ブレ量を比較し、手ブレ量の少ない画像から順に所定数の画像を選択し、記録メモリに記録するカメラが記載されている。
【特許文献１】特開２００７−４８３４９号公報
【特許文献２】特開２００６−１８０４７１号公報
【発明の開示】
【発明が解決しようとする課題】
【００２２】
しかしながら、特許文献１に記載の技術では、対応する静止画像データと動画像データとをリンクして記録するので、静止画像データから動画像データに画素密度変換する必要がある。そのため、この画素密度変換に相当の時間を要し、素早く動画像データを記憶することができないので、利用者は撮影した直後の動画像を見ることができなかった。
【００２３】
また、特許文献１に記載の技術をＤＣＦ規格準拠のカメラを備えた監視カメラシステムに適用した場合、撮影したＪＰＥＧのデータ数やフォルダ数の上限をオーバーして撮影が停止してしまう場合がある。そのため、カメラの撮影が停止してしまった場合、動画像データを適切に記憶することができないので、復旧に相当の時間を要し、利用者は撮影した直後の動画像を見ることができなかった。
【００２４】
さらに、特許文献２に記載のカメラでは、取り込まれる画像を循環的に一時記憶メモリに記憶するので、この技術をＳＤ−Ｖｉｄｅｏ規格を準拠しつつ動画像データをＦＡＴ３２でフォーマットされたハードディスクに記憶するエンドレスカメラが備えられた監視カメラシステムに適用した場合、撮影した動画像データのファイル数、フォルダ数、又は１ファイルの最大容量の上限をオーバーし、ディジタルビデオカメラの撮影が停止してしまう場合がある。
【００２５】
そのため、カメラの撮影が停止してしまった場合、動画像データを適切に記憶することができないので、復旧に相当の時間を要し、利用者は撮影した直後の動画像を見ることができなかった。
【００２６】
本発明は、上記課題に鑑みてなされたものであり、様々な規格に制限されることなく、素早く適切に動画ファイルを記憶することができるカメラを提供することを目的とする。
【課題を解決するための手段】
【００２７】
上記目的を達成するため、本発明に係るカメラの第１の特徴は、所定時間間隔で間欠的に静止画像を撮影し、この撮影した静止画像データに基づいて生成した動画像データを動画像ファイルとして記録するカメラ（１）であって、光学系（２）により集光された光を電気信号へ変換する撮像素子（３）と、前記撮像素子（３）により変換された電気信号に基づいて、所定の時間間隔毎にＭＰＥＧ規格に準拠した垂直方向及び水平方向の画素数で静止画像データを生成するタイムラプス画像処理手段（５）と、前記タイムラプス画像処理手段（５ｂ）により生成された静止画像データに、一意に識別可能であり、かつＳＤ−Ｖｉｄｅｏ規格に準拠しない任意のファイル名を割り当てて静止画像データ記憶手段（８ａ）に記憶させる静止画像記憶制御手段（９ａ）と、前記動画像ファイルの生成を要求する操作信号が外部から供給された場合に、前記静止画像データ記憶手段（８ａ）から所定枚数分の前記静止画像データを読み出し、この読み出した静止画像データに基づいて、ＭＰＥＧ規格に準拠した動画像ファイルを生成する動画像変換手段（９ｂ）と、前記動画像変換手段（９ｂ）により生成された動画像ファイルにＳＤ−Ｖｉｄｅｏ規格に準拠した番号体系でファイル名を割り当てて動画像データ記憶手段（８ａ）に記憶させる動画像記憶制御手段（９ｃ）とを備えたことにある。
【００２８】
上記目的を達成するため、本発明に係るカメラの第２の特徴は、ＳＤ−Ｖｉｄｅｏ規格に準拠した番号体系で動画像ファイルを記憶する動画像データ記憶手段（２８ｂ）と、前記動画像データ記憶手段（２８ｂ）のファイルシステムにおけるファイル容量の上限以下である前記動画像ファイルを、一意に識別可能であり、かつＳＤ−Ｖｉｄｅｏ規格に準拠しない任意の番号体系で記憶する動画像データ一時記憶手段（２８ａ）と、光学系（２）により集光された光を電気信号へ変換する撮像素子（２３）と、前記撮像素子（２３）により変換された電気信号に基づいて、ＭＰＥＧ規格に準拠した動画像データを生成する動画像生成手段（２５ｂ）と、前記生成された動画像データに基づいて、前記動画像データ記憶手段（２８ｂ）のファイルシステムによるファイル容量の上限値を超えないように動画像ファイルを生成し、この生成された動画ファイルに一意に識別可能であり、かつＳＤ−Ｖｉｄｅｏ規格に準拠しない任意のファイル番号を割り当てて前記動画像データ一時記憶手段（２８ａ）に記憶させる動画像一時記憶制御手段（２９ａ）と、前記動画像データ一時記憶手段（２８ａ）に記憶された動画像ファイルから１又は複数の動画像ファイルを選択する操作信号が外部から供給された場合に、この操作信号に基づいて前記１又は複数の動画像ファイルを選択する動画像選択手段（２９ｂ）と、前記動画像ファイルの記録を要求する操作信号が外部から供給された場合に、前記動画像データ一時記憶手段（２８ａ）から前記動画像選択手段（２９ｂ）により選択された１又は複数の動画像ファイルを読み出し、この読み出された動画像ファイルをＳＤ−Ｖｉｄｅｏ規格に準拠した番号体系のファイル名に変換し、この変換された動画像ファイルを前記動画像データ記憶手段（２８ｂ）に記憶させる動画像記憶制御手段（２９ｃ）とを備えたことにある。
【発明の効果】
【００２９】
本発明のカメラによれば、様々な規格に制限されることなく、素早く適切に動画ファイルを記憶することができる。
【発明を実施するための最良の形態】
【００３０】
以下、本発明の実施の形態について図面を参照して説明する。
【実施例１】
【００３１】
本発明の実施例１では、所定時間間隔で間欠的に静止画像を撮影すると共に、この撮影された静止画像データに基づいて連続した動画像データを生成し、動画像ファイルとして記録するタイムラプス記録機能を有するカメラを例に挙げて説明する。
【００３２】
＜カメラの構成＞
図１は、本発明の実施例１であるカメラの構成を示した構成図である。
【００３３】
本発明の実施例１であるカメラ１は、光学レンズ２と、画像素子部３と、Ａ／Ｄ変換部４と、画像処理部５と、操作部６と、表示部７と、ハードディスク８と、ＣＰＵ９と、メモリ１０とを備える。
【００３４】
光学レンズ２は、軸Ｐを光軸として入射する光を集光させる。
【００３５】
画像素子部３は、光学レンズ２により集光された光を結像させ、結像させた被写体像を電気信号に変換する。
【００３６】
Ａ／Ｄ変換部４は、画像素子部３から供給されたアナログデータをデジタルデータに変換する。
【００３７】
画像処理部５は、Ａ／Ｄ変換部４から供給された入力信号に各種デジタル処理を施す。
【００３８】
操作部６は、各種操作ボタン等を備えており、利用者による各種操作ボタン等の操作に基づいて、各種操作信号を生成する。
【００３９】
表示部７は、有機ＥＬ（electroluminescence）ディスプレイや、液晶ディスプレイ等の画像出力回路を備え、ＣＰＵ９から供給された表示信号に基づいて、静止画像、動画像、又は各種設定画面を表示する。
【００４０】
ハードディスク８は、その機能上、静止画像データ記憶部８ａと、動画像データ記憶部８ｂとを備える。
【００４１】
静止画像データ記憶部８ａは、後述するＣＰＵ９の静止画像記憶制御回路９ａにより、一意に識別可能なファイル名が割り当てられた静止画像データを記憶する。
【００４２】
動画像データ記憶部８ｂは、後述するＣＰＵ９の動画像記憶制御回路９ｃにより、ＳＤ−Ｖｉｄｅｏ規格に準拠した番号体系でファイル名が割り当てられた動画像データを動画像ファイルとして記憶する。
【００４３】
ＣＰＵ９は、カメラ１の中枢的な制御を行う。
【００４４】
メモリ１０は、揮発性半導体素子などで構成され、ＣＰＵ９から供給される各種データを記憶する。
【００４５】
また、画像処理部５は、その機能上、モード設定回路５ａと、タイムラプス画像処理回路５ｂとを備えている。
【００４６】
モード設定回路５ａは、所定時間間隔で間欠的に撮影された静止画像データを連続した動画像データとして記録するためのタイムラプス撮影モード、及び操作部６から供給された操作信号に基づいて静止画像を撮影するための通常撮影モードのいずれか一方を設定する。具体的には、モード設定回路５ａは、表示部７に表示された撮影モード設定画面のうち、いずれかの設定を要求する操作信号が操作部６から供給されると、要求された撮影モードに設定する。
【００４７】
図２は、表示部７に表示された撮影モード設定画面の一例を示した図である。
【００４８】
図２に示すように、撮影モード設定画面１０１には、タイムラプス撮影モード１０２と、通常撮影モード１０３とが表示されており、利用者が、操作部６からこのタイムラプス撮影モード１０２又は通常撮影モード１０３のうちいずれかを選択する操作を行うと、操作部６は、いずれかが選択されたことを示す操作信号を生成し、生成された操作信号を画像処理部５へ供給する。
【００４９】
そして、画像処理部５のモード設定回路５ａは、操作部６からいずれかが選択されたことを示す操作信号が供給されると、選択された撮影モードを設定する。
【００５０】
また、モード設定回路５ａは、フォーカス、アイリス、ホワイトバランス、及びシャッタ速度について、手動モード又は自動モードを設定する。具体的には、モード設定回路５ａは、表示部７に表示された自動／手動撮影モード設定画面のうち、フォーカス、アイリス、ホワイトバランス、及びシャッタ速度の各設定項目について、操作部６から供給される操作信号に基づいて、それぞれ手動モード又は自動モードを設定する。
【００５１】
図３は、表示部７に表示された自動／手動撮影モード設定画面の一例を示した図である。
【００５２】
図３に示すように、自動／手動撮影モード設定画面２０１には、設定項目としてフォーカス２０２と、アイリス２０３と、ホワイトバランス２０４と、シャッタ速度２０５とが表示されており、それぞれの設定項目に対応して自動モード又は手動モードを設定するための設定ボタン２０６〜２０９が配置されている。
【００５３】
そして、利用者が、操作部６からこの設定ボタン２０６〜２０９を手動モードから自動モード、又は自動モードから手動モードに切り替える操作を行うと、操作部６は、自動／手動撮影モードが切り替えられたことを示す操作信号を生成し、生成された操作信号を画像処理部５へ供給する。
【００５４】
モード設定回路５ａは、この自動／手動撮影モードが切り替えられたことを示す操作信号が操作部６から供給されると、この供給された操作信号に基づいて、フォーカス、アイリス、ホワイトバランス、及びシャッタ速度について、それぞれ手動モード又は自動モードを設定する。
【００５５】
なお、モード設定回路５ａは、タイムラプス撮影モードが設定されている場合、操作部６から供給される操作信号にかかわらず、これらフォーカス２０２、アイリス２０３、ホワイトバランス２０４、及びシャッタ速度２０５の各設定項目について自動モードに設定する。
【００５６】
また、モード設定回路５ａは、タイムラプス撮影モードが設定された場合において、後述するタイムラプス画像処理回路５ｂが静止画像データを生成する撮影時間間隔を設定する。具体的には、モード設定回路５ａは、表示部７に表示されたタイムラプス撮影詳細設定画面のうち、撮影時間間隔を選択する操作信号が操作部６から供給されると、供給された操作信号に基づいて、後述するタイムラプス画像処理回路５ｂが静止画像データを生成する撮影時間間隔を設定する。
【００５７】
図４は、表示部７に表示されたタイムラプス撮影詳細設定画面の一例を示した図である。
【００５８】
図４に示すように、タイムラプス撮影詳細設定画面３０１は、設定項目として撮影時間間隔３０２と、静止画像枚数上限３０３と、上限記録停止設定３０４と、静止画像削除設定３０５とが表示されており、それぞれ対応して設定ボタン３０６〜３１０が配置されている。
【００５９】
撮影時間間隔３０２に対応する設定ボタン３０６は、１０（ｓｅｃ）、２０（ｓｅｃ）、又は３０（ｓｅｃ）のいずれか１つを選択できるように表示される。例えば、利用者の操作により設定ボタン３０６で１０（ｓｅｃ）が選択された場合、操作部６は、１０（ｓｅｃ）が選択されたことを示す操作信号を生成し、生成された操作信号を画像処理部５へ供給する。
【００６０】
そして、モード設定回路５ａは、この操作信号が操作部６から供給されると、タイムラプス撮影時における撮影時間間隔を１０（ｓｅｃ）に設定する。
【００６１】
撮影時間間隔が１０（ｓｅｃ）に設定されると、画像処理部５のタイムラプス画像処理回路５ｂは、Ａ／Ｄ変換部４から供給される出力信号に基づいて、１０秒毎に静止画像データを生成する。
【００６２】
なお、図４に示したタイムラプス撮影詳細設定画面３０１に表示された静止画像枚数上限３０３、上限記録停止設定３０４、及び静止画削除設定３０５については、後述する。
【００６３】
画像処理部５のタイムラプス画像処理回路５ｂは、モード設定回路５ａによりタイムラプス撮影モードが設定された場合に、Ａ／Ｄ変換部４から供給された信号に基づいて、モード設定回路５ａにより設定された撮影時間間隔毎にＭＰＥＧ規格に準拠した画素構成、即ち、ＭＰＥＧ規格に準拠した垂直方向及び水平方向の画素数で、静止画像データを生成する。例えば、アスペクト比４：３であれば、７２０＊４８０（ピクセル）又は７２０＊５７６（ピクセル）の画素構成の静止画像データを生成する。
【００６４】
また、ＣＰＵ９は、その機能上、静止画像記憶制御回路９ａと、動画像変換回路９ｂと、動画像記憶制御回路９ｃと、静止画像選択回路９ｄとを備える。
【００６５】
静止画像記憶制御回路９ａは、画像処理部５のタイムラプス画像処理回路５ｂにより生成された静止画像データに、一意に識別可能であり、かつＳＤ−Ｖｉｄｅｏ規格に準拠しない任意のファイル名を割り当てて、ハードディスク８の静止画像データ記憶部８ａに記憶させる。
【００６６】
また、静止画像記憶制御回路９ａは、ハードディスク８の静止画像データ記憶部８ａに記憶する静止画像データ数の上限を設定する。具体的には、静止画像記憶制御回路９ａは、表示部７に表示されたタイムラプス撮影詳細設定画面３０１の静止画像枚数上限３０３を設定する操作信号が操作部６から供給されると、静止画像データ記憶部８ａに記憶する静止画像枚数上限を設定する。
【００６７】
図４に示したタイムラプス撮影詳細設定画面３０１において、静止画像枚数上限３０３に対応する設定ボタン３０７は、５（ｍｉｎ）、１０（ｍｉｎ）、２０（ｍｉｎ）、又は３０（ｍｉｎ）のいずれか１つを選択できるように表示される。例えば、利用者の操作により設定ボタン３０７で５（ｍｉｎ）が選択された場合、操作部６は、５（ｍｉｎ）が選択されたことを示す操作信号を生成し、生成された操作信号をＣＰＵ９へ供給する。
【００６８】
ＣＰＵ９の静止画像記憶制御回路９ａは、この操作信号が操作部６から供給されると、タイムラプス撮影時における静止画像枚数上限を５（ｍｉｎ）に設定する。
【００６９】
そして、静止画像記憶制御回路９ａは、静止画像枚数上限が５（ｍｉｎ）に設定された場合、５（ｍｉｎ）分の動画像データに相当する静止画像データ、具体的には、９０００枚分の静止画像データを静止画像データ記憶部８ａに記憶する。また、静止画像記憶制御回路９ａは、静止画像枚数上限３０３が１０（ｍｉｎ）に設定された場合、１８０００枚分の静止画像データを記憶し、静止画像枚数上限３０３が２０（ｍｉｎ）に設定された場合、３６０００枚分の静止画像データを記憶し、静止画像枚数上限３０３が３０（ｍｉｎ）に設定された場合、５４０００枚分の静止画像データを記憶する。
【００７０】
なお、静止画像データ記憶部８ａに記憶する静止画像枚数上限３０３を設定しない場合、ハードディスク８の記憶容量の許す限り静止画像データを記憶する。
【００７１】
また、静止画像記憶制御回路９ａは、上述した静止画像枚数上限３０３が設定されている場合において、静止画像データ数が上限に達した場合における処理内容を設定する。具体的には、静止画像記憶制御回路９ａは、表示部７に表示されたタイムラプス撮影詳細設定画面３０１の上限記録停止設定３０４を設定する操作信号が操作部６から供給されると、この操作信号に基づいて、静止画像データ数が上限に達した場合における処理内容を設定する。
【００７２】
図４に示したタイムラプス撮影詳細設定画面３０１において、上限記録停止設定３０４に対応する設定ボタン３０８は、“ＯＮ”又は“ＯＦＦ”を選択できるように表示される。例えば、利用者の操作により設定ボタン３０８で“ＯＮ”が選択された場合、操作部６は、“ＯＮ”が選択されたことを示す操作信号を生成し、生成された操作信号をＣＰＵ９へ供給する。
【００７３】
ＣＰＵ９の静止画像記憶制御回路９ａは、この操作信号が操作部６から供給されると、静止画像データ数が上限に達した場合における処理内容を“ＯＮ”に設定する。
【００７４】
そして、上限記録停止設定３０４が“ＯＮ”に設定されている場合、静止画像記憶制御回路９ａは、静止画像データ記憶部８ａに記憶した静止画像データ数が静止画像枚数上限に達すると、静止画像データ記憶部８ａへの静止画像データの記憶を停止する。また、上限記録停止設定３０４が“ＯＦＦ”に設定されている場合、静止画像記憶制御回路９ａは、静止画像データ記憶部８ａに記憶した静止画像データ数が静止画像枚数上限に達すると、静止画像データ記憶部８ａに記憶された静止画像データのうち最も古い静止画像データを削除して、新たな静止画像データを記憶する。
【００７５】
ＣＰＵ９の動画像変換回路９ｂは、静止画像データから動画像データの生成を要求する操作信号が操作部６から供給された場合に、ハードディスク８の静止画像データ記憶部８ａから１ＧＯＰ（Group Of Pictures）分の静止画像データを読み出し、この読み出した静止画像データに基づいて、動画像データを生成する。
【００７６】
ＣＰＵ９の動画像記憶制御回路９ｃは、動画像変換回路９ｂにより変換された動画像データをＳＤ−Ｖｉｄｅｏ規格に準拠した番号体系でファイル名を割り当てて、動画像ファイルとしてハードディスク８の動画像データ記憶部８ｂに記憶させる。
【００７７】
ＣＰＵ９の静止画像選択回路９ｄは、静止画像データ記憶部８ａに記憶された全て又は選択された静止画像データを削除する。具体的には、静止画像選択回路９ｄは、表示部７に表示されたタイムラプス撮影詳細設定画面３０１の静止画削除設定３０５を設定する操作信号が操作部６から供給されると、この操作信号に基づいて、静止画像データ記憶部８ａから静止画像データを削除する。
【００７８】
図４に示したタイムラプス撮影詳細設定画面３０１において、静止画削除設定３０５に対応して全削除３０９又は選択削除３１０のうちいずれか１つを選択できるように表示される。
【００７９】
そして、全削除３０９を選択する操作信号が操作部６から供給されると、静止画像選択回路９ｄは、ハードディスク８の静止画像データ記憶部８ａに記憶された静止画像データの全てを削除する。
【００８０】
また、静止画像選択回路９ｄは、選択削除３１０を選択する操作信号が操作部６から供給されると、表示部７に削除画像選択画面を表示させる。
【００８１】
図５は、表示部７に表示された削除画像選択画面の一例を示した図である。
【００８２】
図５に示すように、削除画像選択画面５０１には、ハードディスク８の静止画像データ記憶部８ａに記憶された静止画像データの一覧表示４０２と、確定ボタン４０３とが表示されている。
【００８３】
そして、利用者の操作により、表示部７に表示された静止画像データの一覧表示４０２の中から１つ又は複数の静止画像データが選択された後、確認ボタン４０３が選択されると、操作部６は、静止画像データの一覧表示４０２の中から１つ又は複数の静止画像データを選択する操作信号を生成し、この生成した操作信号をＣＰＵ９へ供給する。
【００８４】
操作部６から操作信号が供給されたＣＰＵ９静止画像選択回路９ｄは、この操作信号が示す選択された静止画像データをハードディスク８の静止画像データ記憶部８ａから削除する。
【００８５】
＜カメラ１の作用＞
次に、本発明の実施例１であるカメラ１の作用について説明する。
【００８６】
本発明の実施例１であるカメラ１は、主に静止画像記憶処理と、動画像変換処理を行う。そのため、各々の処理について以下に詳細に説明する。
【００８７】
≪静止画像記憶処理≫
本発明の実施例１であるカメラ１における静止画像記憶処理の詳細について説明する。
【００８８】
なお、カメラ１は、各タイムラプス撮影詳細設定の上限記録停止設定３０４が“ＯＦＦ”に設定されているものとする。
【００８９】
図６は、本発明の実施例１であるカメラ１における静止画像記憶処理を示したフローチャートである。
【００９０】
図６に示すように、画像処理部５のモード設定回路５ａは、タイムラプス撮影モードの選択を要求する操作信号が操作部６から供給されると（ステップＳ１０１）、タイムラプス撮影モードを設定する。
【００９１】
そして、タイムラプス撮影モードが設定されると、画像処理部５のタイムラプス画像処理回路５ｂは、ライムラプス撮影を開始する（ステップＳ１０２）。具体的には、画像処理部５のタイムラプス画像処理回路５ｂは、画像素子部３及びＡ／Ｄ変換部４に、所定時間間隔で間欠的に撮影するように命令する。
【００９２】
次に、画像処理部５のタイムラプス画像処理回路５ｂは、所定時間間隔でＡ／Ｄ変換部４から供給された静止画像データに基づいて、ＭＰＥＧ規格に準拠した画素構成の静止画像データを生成する（ステップＳ１０３）。具体的には、画像処理部５のタイムラプス画像処理回路５ｂは、カメラ１がＮＴＳＣ方式対応であれば、７２０＊４８０（ピクセル）でＪＰＥＧ形式の静止画像データを生成し、カメラ１がＰＡＬ方式対応であれば、７２０＊５７６（ピクセル）でＪＰＥＧ形式の静止画像データを生成する。
【００９３】
テレビジョン放送には、垂直同期周波数が約６０ＨｚのＮＴＳＣ方式や、垂直同期周波数が５０ＨｚのＰＡＬ方式、ＳＥＣＡＭ方式の３種類の放送方式があり、各国毎に採用される放送方式が異なっているので、この放送方式に合わせてテレビジョン表示装置等の出力装置もＮＴＳＣ方式又はＰＡＬ方式のいずれかに対応しているものが多く、この出力装置の放送方式に合わせてカメラ１もいずれかの放送方式に対応している。
【００９４】
そこで、画像処理部５は、カメラ１が対応する放送方式に合わせて、７２０＊４８０（ピクセル）又は７２０＊５７６（ピクセル）の画素構成で静止画像データを生成する。
【００９５】
次に、ＣＰＵ９の静止画像記憶制御回路９ａは、ステップＳ１０３において生成された静止画像データをハードディスク８の静止画像データ記憶部８ａに記憶させる（ステップＳ１０４）。例えば、静止画像記憶制御回路９ａは、生成された静止画像データに、６バイト長の一意に識別可能なファイル名を割り当てて、ハードディスク８の静止画像データ記憶部８ａに記憶させる。
【００９６】
これにより、静止画像記憶制御回路９ａは、ＤＣＦ規格の制限であるフォルダ数の上限（９００個）や１フォルダ当たりのファイル数の上限（９９９９個）に制限されることなく、静止画像データを静止画像データ記憶部８ａに記憶させることができる。
【００９７】
次に、ＣＰＵ９の静止画像記憶制御回路９ａは、予め設定された静止画像枚数上限に達したか否かを判定する（ステップＳ１０５）。
【００９８】
そして、ステップＳ１０５において、上限に達したと判定された場合には、画像処理部５のタイムラプス画像処理回路５ｂは、タイムラプス撮影を停止する（ステップＳ１０６）。
【００９９】
≪動画像変換処理≫
次に、本発明の実施例１であるカメラ１における動画像変換処理の詳細について説明する。
【０１００】
図７は、本発明の実施例１であるカメラ１における動画像変換処理を示したフローチャートである。
【０１０１】
図７に示すように、ＣＰＵ９の動画像変換回路９ｂは、動画像データの生成を要求する操作信号が操作部６から供給されると（ステップＳ２０１）、ハードディスク８の静止画像データ記憶部８ａから７２０＊４８０（ピクセル）又は７２０＊５７６（ピクセル）の画素構成で記憶された静止画像データを順次読み出す（ステップＳ２０２）。
【０１０２】
次に、ステップＳ２０２において読み出された静止画像データのデータ量が、ＭＰＥＧ規格において定められた動画構成の最小の単位構造である１ＧＯＰ分のデータ量に達したか否かを判定する（ステップＳ２０３）。
【０１０３】
そして、ステップＳ２０３において、この読み出された静止画像データのデータ量が、１ＧＯＰ分のデータ量に達したと判定された場合、この１ＧＯＰ分の静止画像データをＭＰＥＧ規格に準拠した動画像データに変換する（ステップＳ２０４）。
【０１０４】
このように、ＣＰＵ９の動画像変換回路９ｂは、動画像データの生成を要求する操作信号が外部から供給された場合に、７２０＊４８０（ピクセル）又は７２０＊５７６（ピクセル）の画素構成で記憶された静止画像データを読み出し、この読み出した静止画像データに基づいて動画像データを生成するので、画素密度変換を行うことなく、ＪＰＥＧ形式の静止画像データからＭＰＥＧ形式の動画像データを生成することができる。
【０１０５】
次に、ＣＰＵ９の動画像記憶制御回路９ｃは、動画像変換回路９ｂにより変換された動画像データに、ＳＤ−Ｖｉｄｅｏ規格に準拠した番号体系でファイル名を割り付け、動画像ファイルとしてハードディスク８の動画像データ記憶部８ｂに記憶させる（ステップＳ２０５）。
【０１０６】
次に、ＣＰＵ９の静止画像記憶制御回路９ａは、静止画像データ記憶部８ａに記憶した静止画像データ数が静止画像枚数上限に達したか否かを判定する（ステップＳ２０６）。
【０１０７】
ステップＳ２０６において、静止画像枚数上限に達していないと判定された場合、静止画像記憶制御回路９ａは処理をステップＳ２０２に移行し、静止画像枚数上限に達したと判定された場合、静止画像データ記憶部８ａに記憶された静止画像データを削除する（ステップＳ２０７）。
【０１０８】
以上のように、本発明の実施例１であるカメラ１によれば、画素密度変換に相当の時間を要することなく、素早く動画像ファイルを記憶することができるので、利用者は撮影した直後の動画像を見ることができる。
【０１０９】
また、本発明の実施例１であるカメラ１によれば、静止画像データを静止画像データ記憶部８ａに記憶し、この記憶された静止画像データに基づいて動画像データを生成するので、ＤＣＦ規格のファイル数やフォルダ数の上限に制限されることなく、静止画像データを静止画像データ記憶部８ａに記憶することができる。
【０１１０】
これにより、長時間撮影を行う場合においても、カメラ１がＤＣＦ規格により停止することがないので、素早く適切に動画ファイルを記憶することができる。
【実施例２】
【０１１１】
本発明の実施例２では、エンドレス撮影した動画像データを記憶するエンドレス記録機能を有するカメラを例に挙げて説明する。
【０１１２】
＜カメラの構成＞
図８は、本発明の実施例２であるカメラの構成を示した構成図である。
【０１１３】
本発明の実施例２であるカメラ１００は、光学レンズ２２と、画像素子部２３と、Ａ／Ｄ変換部２４と、画像処理部２５と、操作部２６と、表示部２７と、ハードディスク２８と、ＣＰＵ２９と、メモリ３０とを備える。
【０１１４】
本発明の実施例２であるカメラ１００が備える構成のうち、光学レンズ２２と、画像素子部２３と、Ａ／Ｄ変換部２４と、操作部２６と、表示部２７と、メモリ３０とは、本発明の実施例１であるカメラ１が備える光学レンズ２と、画像素子部３と、Ａ／Ｄ変換部４と、操作部６と、表示部７と、メモリ１０の構成とそれぞれ同一であるので、説明を省略する。
【０１１５】
ハードディスク２８は、その機能上、動画像データ一時記憶部２８ａと、動画像データ記憶部２８ｂとを備える。
【０１１６】
動画像データ一時記憶部２８ａは、後述するＣＰＵ２９の動画像一時記憶制御回路２９ａにより、動画像データ記憶部２８ｂのファイルシステムにおけるファイル容量の上限以下である動画像ファイルを、一意に識別可能であり、かつＳＤ−Ｖｉｄｅｏ規格に準拠しない任意の番号体系で記憶する。
【０１１７】
動画像データ記憶部２８ｂは、後述するＣＰＵ２９の動画像記憶制御回路２９ｃにより、ＳＤ−Ｖｉｄｅｏ規格に準拠した番号体系でファイル名が割り当てられた動画像ファイルを記憶する。
【０１１８】
ＣＰＵ２９は、カメラ１００の中枢的な制御を行う。
【０１１９】
メモリ３０は、揮発性半導体素子などで構成され、ＣＰＵ２９から供給される各種データを記憶する。
【０１２０】
また、画像処理部２５は、その機能上、モード設定回路２５ａと、動画像生成回路２５ｂとを備えている。
【０１２１】
モード設定回路２５ａは、エンドレス撮影された動画像データを記録するためのエンドレス撮影モード、及び操作部２６から供給された操作信号に基づいて動画像を撮影するための通常撮影モードのいずれか一方を設定する。具体的には、モード設定回路２５ａは、表示部２７に表示された撮影モード設定画面のうち、いずれかの設定を要求する操作信号が操作部２６から供給されると、要求された撮影モードに設定する。
【０１２２】
図９は、表示部２７に表示された撮影モード設定画面の一例を示した図である。
【０１２３】
図９に示すように、撮影モード設定画面５０１には、エンドレス撮影モード５０２と、通常撮影モード５０３とが表示されており、利用者が、操作部２６からこのエンドレス撮影モード５０２又は通常撮影モード５０３のうちいずれかを選択する操作を行うと、操作部２６は、いずれかが選択されたことを示す操作信号を生成し、生成された操作信号を画像処理部２５へ供給する。
【０１２４】
そして、モード設定回路２５ａは、操作部２６からいずれかが選択されたことを示す操作信号が供給されると、選択された撮影モードを設定する。
【０１２５】
また、モード設定回路２５ａは、フォーカス、アイリス、ホワイトバランス、及びシャッタ速度について、手動モード又は自動モードを設定する。具体的には、モード設定回路２５ａは、表示部２７に表示された自動／手動撮影モード設定画面のうち、フォーカス、アイリス、ホワイトバランス、及びシャッタ速度の各設定項目について、操作部２６から供給される操作信号に基づいて、それぞれ手動モード又は自動モードを設定する。
【０１２６】
図１０は、表示部２７に表示された自動／手動撮影モード設定画面の一例を示した図である。
【０１２７】
図１０に示すように、自動／手動撮影モード設定画面６０１には、設定項目としてフォーカス６０２と、アイリス６０３と、ホワイトバランス６０４と、シャッタ速度６０５とが表示されており、それぞれの設定項目に対応して自動モード又は手動モードを設定するための設定ボタン６０６〜６０９が配置されている。
【０１２８】
なお、手動モード又は自動モードの設定についての詳細は、本発明の実施例１のカメラ１のモード設定回路５ａによる手動モード又は自動モードの設定と同一であるので、説明を省略する。
【０１２９】
画像処理部２５の動画像生成回路２５ｂは、モード設定回路２５ａによりエンドレス撮影モードが設定された場合に、Ａ／Ｄ変換部２４から供給された信号に基づいて、ＭＰＥＧ規格に準拠した画素構成の動画像データを生成する。
【０１３０】
また、ＣＰＵ２９は、その機能上、動画像一時記憶制御回路２９ａと、動画像選択回路２９ｂと、動画像記憶制御回路２９ｃとを備える。
【０１３１】
動画像一時記憶制御回路２９ａは、画像処理部２５の動画像生成回路２５ｂにより生成された動画像データに基づいて、動画像データ記憶部２８ｂのファイルシステムによるファイル容量の上限値を超えないように動画像ファイルを生成し、この生成された動画ファイルに一意に識別可能であり、かつＳＤ−Ｖｉｄｅｏ規格に準拠しない任意のファイル番号を割り当ててハードディスク２８の動画像データ一時記憶部２８ａに記憶させる。
【０１３２】
また、動画像一時記憶制御回路２９ａは、ハードディスク２８の動画像データ一時記憶部２８ａに記憶する動画像ファイル数の上限を設定する。具体的には、動画像一時記憶制御回路２９ａは、表示部２７に表示されたエンドレス撮影詳細設定画面の動画像撮影時間上限を設定する操作信号が操作部２６から供給されると、動画像データ一時記憶部２８ａに記憶する動画像撮影時間上限を設定する。
【０１３３】
図１１は、表示部２７に表示されたエンドレス撮影詳細設定画面の一例を示した図である。
【０１３４】
図１１に示すように、エンドレス撮影詳細設定画面７０１は、設定項目として動画像撮影時間上限７０２と、上限時間記録停止設定７０３と、動画像選択設定７０４とが表示されており、それぞれ対応して設定ボタン７０５〜７０８が配置されている。
【０１３５】
図１１に示したエンドレス撮影詳細設定画面７０１において、動画像撮影時間上限７０２に対応する設定ボタン７０５は、１２（ｈｒ）、又は２４（ｈｒ）のいずれか１つを選択できるように表示される。例えば、利用者の操作により設定ボタン７０５で１２（ｈｒ）が選択された場合、操作部２６は、１２（ｈｒ）が選択されたことを示す操作信号を生成し、生成された操作信号をＣＰＵ２９へ供給する。
【０１３６】
ＣＰＵ２９の動画像一時記憶制御回路２９ａは、この操作信号が操作部２６から供給されると、エンドレス撮影時における動画像撮影時間上限を１２（ｈｒ）に設定する。
【０１３７】
そして、動画像一時記憶制御回路２９ａは、動画像撮影時間上限が１２（ｈｒ）に設定された場合、１２（ｈｒ）分の動画像データを動画像ファイルとして動画像データ一時記憶部２８ａに記憶する。
【０１３８】
なお、動画像データ一時記憶部２８ａに記憶する動画像撮影時間上限７０２を設定しない場合、ハードディスク２８の記憶容量の許す限り動画像ファイルを記憶する。
【０１３９】
また、動画像一時記憶制御回路２９ａは、上述した動画像撮影時間上限７０２が設定されている場合において、動画像データ一時記憶部２８ａに記憶された動画像ファイルの動画像撮影時間が上限に達したときの処理内容を設定する。具体的には、動画像一時記憶制御回路２９ａは、表示部２７に表示されたエンドレス撮影詳細設定画面７０１の上限時間記録停止設定７０３を設定する操作信号が操作部２６から供給されると、この操作信号に基づいて、記憶された動画像ファイルの動画像撮影時間が上限に達した場合における処理内容を設定する。
【０１４０】
図１１に示したエンドレス撮影詳細設定画面７０１において、上限時間記録停止設定７０３に対応する設定ボタン７０６は、“ＯＮ”又は“ＯＦＦ”を選択できるように表示される。例えば、利用者の操作により設定ボタン７０６で“ＯＮ”が選択された場合、操作部２６は、“ＯＮ”が選択されたことを示す操作信号を生成し、生成された操作信号をＣＰＵ２９へ供給する。
【０１４１】
ＣＰＵ２９の動画像一時記憶制御回路２９ａは、この操作信号が操作部２６から供給されると、記憶された動画像ファイルの動画像撮影時間が上限に達した場合における処理を“ＯＮ”に設定する。
【０１４２】
そして、動画像一時記憶制御回路２９ａは、上限時間記録停止設定７０３が“ＯＮ”に設定されている場合、動画像データ一時記憶部２８ａに記憶した動画像ファイルの動画像撮影時間が動画像撮影時間上限に達すると、動画像生成回路２５ｂが動画像データ一時記憶部２８ａへの動画像ファイルの記憶を停止する。また、上限時間記録停止設定７０３が“ＯＦＦ”に設定されている場合、動画像データ一時記憶部２８ａに記憶した動画像ファイルの動画像撮影時間が動画像撮影時間上限に達すると、動画像データ一時記憶部２８ａに記憶された動画像ファイルのうち最も古い動画像ファイルを削除して、新たな動画像ファイルを記憶する。
【０１４３】
ＣＰＵ２９の動画像選択回路２９ｂは、動画像データ一時記憶部２８ａに記憶された動画像ファイルから１又は複数の動画像ファイルを選択する操作信号が操作部２６から供給された場合に、この操作信号に基づいて動画像ファイルを選択する。具体的には、動画像選択回路２９ｂは、表示部２７に表示されたエンドレス撮影詳細設定画面７０１の動画像選択設定７０４を設定する操作信号が操作部２６から供給されると、この操作信号に基づいて、動画像データ一時記憶部２８ａから動画像ファイルを選択する。
【０１４４】
図１１に示したエンドレス撮影詳細設定画面７０１において、動画像選択設定７０４に対応して全選択７０７又は一部選択７０８のうちいずれか１つを選択できるように表示される。
【０１４５】
そして、全選択７０７を選択する操作信号が操作部２６から供給されると、動画像選択回路２９ｂは、ハードディスク２８の動画像データ一時記憶部２８ａに記憶された動画像ファイルの全てを選択する。
【０１４６】
また、動画像選択回路２９ｂは、一部選択７０８を選択する操作信号が操作部２６から供給されると、表示部２７に動画像選択画面を表示させる。
【０１４７】
図１２は、表示部２７に表示された動画像選択画面の一例を示した図である。
【０１４８】
図１２に示すように、動画像選択画面８０１には、ハードディスク２８の動画像データ一時記憶部２８ａに記憶された動画像ファイルの一覧表示８０２と、確定ボタン８０３とが表示されている。
【０１４９】
そして、利用者の操作により、表示部２７に表示された動画像ファイルの一覧表示８０２の中から１つ又は複数の動画像データが選択された後、確認ボタン８０３が押下操作されると、操作部２６は、動画像ファイルの一覧表示８０２の中から１つ又は複数の動画像ファイルを選択する操作信号を生成し、この生成した操作信号をＣＰＵ２９へ供給する。
【０１５０】
操作部２６から操作信号が供給されたＣＰＵ２９の動画像選択回路２９ｂは、この操作信号が示す選択された動画像ファイルをハードディスク２８の動画像データ一時記憶部２８ａに残し、その他の動画像ファイルを削除する。
【０１５１】
ＣＰＵ２９の動画像記憶制御回路２９ｃは、動画像ファイルの記録を要求する操作信号が外部から供給された場合に、動画像データ一時記憶部２８ａから動画像選択回路２９ｂにより選択された動画像ファイルを読み出し、この読み出した動画像ファイルをＳＤ−Ｖｉｄｅｏ規格に準拠した番号体系のファイル名に変換し、この変換された動画像ファイルを動画像データ記憶部２８ｂに記憶させる。
【０１５２】
＜カメラ１００の作用＞
次に、本発明の実施例２であるカメラ１００の作用について説明する。
【０１５３】
本発明の実施例２であるカメラ１００は、主に動画像記憶処理と、動画像転送処理を行う。そのため、各々の処理について以下に詳細に説明する。
【０１５４】
≪動画像記憶処理≫
本発明の実施例２であるカメラ１００における動画像記憶処理の詳細について説明する。
【０１５５】
なお、カメラ１００は、エンドレス撮影詳細設定の上限時間記録停止設定７０３が“ＯＮ”に設定されているとする。
【０１５６】
図１３は、本発明の実施例２であるカメラ１００における動画像記憶処理を示したフローチャートである。
【０１５７】
図１３に示すように、画像処理部２５のモード設定回路２５ａは、エンドレス撮影モードの選択を要求する操作信号が操作部２６から供給されると（ステップＳ３０１）、エンドレス撮影モードを設定する。
【０１５８】
そして、エンドレス撮影モードが設定されると、画像処理部２５の動画像生成回路２５ｂは、エンドレス撮影を開始する（ステップＳ３０２）。具体的には、画像処理部２５の動画像生成回路２５ｂは、画像素子部２３及びＡ／Ｄ変換部２４に、動画像を撮影するように命令する。そして、動画像生成回路２５ｂは、Ａ／Ｄ変換部２４から供給された出力信号に基づいて、ＭＰＥＧ規格に準拠した画素構成の動画像データを生成する。
【０１５９】
次に、ＣＰＵ２９の動画像一時記憶制御回路２９ａは、動画像ファイルを生成する（ステップＳ３０３）。具体的には、ＣＰＵ２９の動画像一時記憶制御回路２９ａは、画像処理部２５の動画像生成回路２５ｂから供給される所定時間分の動画像データに動画像ファイル名を割り当て、この動画像ファイルを動画像データ一時記憶部２８ａに記憶させる。
【０１６０】
次に、ＣＰＵ２９の動画像一時記憶制御回路２９ａは、動画像データ一時記憶部２８ａに記憶された動画像ファイルのファイル容量が動画像データ記憶部２８ｂのファイルシステムで制限されるファイル容量の上限値に達したか否かを判定する（ステップＳ３０４）。
【０１６１】
ステップＳ３０４において、動画像ファイルのファイル容量が動画像データ記憶部２８ｂのファイルシステムで制限されるファイル容量未満であると判定された場合は、動画像一時記憶制御回路２９ａは、画像処理部２５の動画像生成回路２５ｂから供給される動画像データを、順次動画像データ一時記憶部２８ａに記憶された所定の動画像ファイルに記憶する（ステップＳ３０５）。
【０１６２】
一方、ステップＳ３０４において、動画像ファイルのファイル容量が動画像データ記憶部２８ｂのファイルシステムで制限されるファイル容量に達したと判定された場合は、動画像ファイルをクローズして（ステップＳ３０６）、ファイル番号を“１”だけ更新したファイル名を割り当てて、新たな動画像ファイルを生成する（ステップＳ３０７）。
【０１６３】
そして、動画像一時記憶制御回路２９ａは、画像処理部２５の動画像生成回路２５ｂから供給される動画像データを、ステップＳ３０７において生成した動画像ファイルに順次記憶する（ステップＳ３０９）。
【０１６４】
次に、動画像一時記憶制御回路２９ａは、動画像データ一時記憶部２８ａに記憶した動画像ファイルの動画像撮影時間が動画像撮影時間上限に達すると、動画像生成回路２５ｂが動画像データ一時記憶部２８ａへの動画像ファイルの記憶を停止する。
【０１６５】
このように、動画像一時記憶制御回路２９ａは、ファイル容量が動画像データ記憶部２８ｂのファイルシステムで制限されるファイル容量を越えないように、動画データを順次動画像ファイルに記憶するので、撮影したファイルシステムで制限されるファイル容量の上限によってカメラ１００の撮影を停止させることなく、動画像ファイルを記憶することができる。
【０１６６】
≪動画像記憶処理≫
本発明の実施例２であるカメラ１００における動画像転送処理の詳細について説明する。
【０１６７】
なお、カメラ１００は、各エンドレス撮影詳細設定の各設定項目が設定されているものとする。
【０１６８】
図１４は、本発明の実施例２であるカメラ１００における動画像転送処理を示したフローチャートである。
【０１６９】
まず、ＣＰＵ２９の動画像選択回路２９ｂは、動画像ファイルの生成を要求する操作信号が操作部２６から供給されると（ステップＳ４０１）、表示部２７にエンドレス撮影詳細設定画面７０１を表示させる（ステップＳ４０２）。
【０１７０】
図１１に示したように、エンドレス撮影詳細設定画面７０１は、動画像選択設定７０４に対応して全選択７０７又は一部選択７０８のうちいずれか１つを選択できるように表示される。
【０１７１】
そして、全選択７０７を選択する操作信号が操作部２６から供給されると（ステップＳ４０３）、動画像選択回路２９ｂは、ハードディスク２８の動画像データ一時記憶部２８ａに記憶された動画像ファイルの全てを選択する（ステップＳ４０４）。
【０１７２】
一方、ステップＳ４０３において一部選択７０８を選択する操作信号が操作部２６から供給されると、表示部２７に動画像選択画面８０１を表示させる（ステップＳ４０５）。
【０１７３】
図１２に示したように、動画像選択画面８０１には、ハードディスク２８の動画像データ一時記憶部２８ａに記憶された動画像ファイルの一覧表示８０２と、確定ボタン８０３とが表示されている。
【０１７４】
そして、利用者の操作により、表示部２７に表示された動画像ファイルの一覧表示８０２の中から１つ又は複数の動画像ファイルが選択されて、確認ボタン８０３が押下操作されたか否かを判定する（ステップＳ４０６）。
【０１７５】
そして、確認ボタン８０３が押下操作されたと判定された場合、動画像選択回路２９ｂは、確定された動画像ファイルを選択する（ステップＳ４０７）。
【０１７６】
次に、ＣＰＵ２９の動画像記憶制御回路２９ｃは、動画像データ一時記憶部２８ａに記憶された動画像ファイルのうち、ステップＳ４０４又はステップＳ４０７において選択された動画像ファイルを動画像データ記憶部２８ｂへ転送する（ステップＳ４０９）。具体的には、動画像記憶制御回路２９ｃは、動画像データ一時記憶部２８ａから動画像選択回路２９ｂにより選択された動画像ファイルを読み出し、この読み出した動画像ファイルをＳＤ−Ｖｉｄｅｏ規格に準拠した番号体系のファイル名に変換し、この変換された動画像ファイルを動画像データ記憶部２８ｂに記憶させる。例えば、動画像データ一時記憶部２８ａから読み出された動画像ファイルのファイル名が“１００．ｍｏｄ”であった場合、動画像記憶制御回路２９ｃは、ＳＤ−Ｖｉｄｅｏ規格に準拠した番号体系に従って、“ＰＲＧ００１”フォルダの中に動画像ファイル名を“ＭＯＶ００１．ｍｏｄ”として記憶する。
【０１７７】
そして、ＣＰＵ２９の動画像記憶制御回路２９ｃは、動画像データ一時記憶部２８ａに記憶させた動画像ファイルを全て削除する（ステップＳ４０９）。
【０１７８】
以上のように、本発明の実施例２であるカメラ１００によれば、動画像データを動画像データ一時記憶部２８ａに記憶し、この記憶された動画像データに基づいてＭＰＥＧ規格に準拠し、かつ動画像データ記憶部２８ｂのファイルシステムによるファイル容量の上限値を超えないファイル容量の動画像ファイルを生成するので、長時間撮影を行う場合においても、カメラ１００がファイルシステムによるファイル容量の上限により停止することがないので、素早く適切に動画ファイルを記憶することができる。
【０１７９】
また、本発明の実施例２であるカメラ１００によれば、動画像データ一時記憶部２８ａに記憶された動画像ファイルのうち、利用者により選択された動画像ファイルを動画像データ記憶部２８ｂに記憶するので、ＳＤ−Ｖｉｄｅｏ規格のファイル数やフォルダ数の上限に制限されることなく、動画像ファイルを動画像データ記憶部２８ｂに記憶することができる。
【０１８０】
これにより、長時間撮影を行う場合においても、カメラ１００がＳＤ−Ｖｉｄｅｏ規格により停止することがないので、素早く適切に動画ファイルを記憶することができる。
【図面の簡単な説明】
【０１８１】
【図１】本発明の実施例１であるカメラの構成を示した構成図である。
【図２】本発明の実施例１であるカメラを構成する表示部７に表示された撮影モード設定画面の一例を示した図である。
【図３】本発明の実施例１であるカメラを構成する表示部７に表示された自動／手動撮影モード設定画面の一例を示した図である。
【図４】本発明の実施例１であるカメラを構成する表示部７に表示されたタイムラプス撮影詳細設定画面の一例を示した図である。
【図５】本発明の実施例１であるカメラを構成する表示部７に表示された削除画像選択画面の一例を示した図である。
【図６】本発明の実施例１であるカメラ１における静止画像記憶処理を示したフローチャートである。
【図７】本発明の実施例１であるカメラ１における動画像変換処理を示したフローチャートである。
【図８】本発明の実施例２であるカメラの構成を示した構成図である。
【図９】本発明の実施例２であるカメラを構成する表示部２７に表示された撮影モード設定画面の一例を示した図である。
【図１０】本発明の実施例２であるカメラを構成する表示部２７に表示された自動／手動撮影モード設定画面の一例を示した図である。
【図１１】本発明の実施例２であるカメラを構成する表示部２７に表示されたエンドレス撮影詳細設定画面の一例を示した図である。
【図１２】本発明の実施例２であるカメラを構成する表示部２７に表示された動画像選択画面の一例を示した図である。
【図１３】本発明の実施例２であるカメラ１００における動画像記憶処理を示したフローチャートである。
【図１４】本発明の実施例２であるカメラ１００における動画像転送処理を示したフローチャートである。
【符号の説明】
【０１８２】
１…カメラ
２，２２…光学レンズ
３，２３…画像素子部
４，２４…変換部
５…画像処理部
５ａ…モード設定回路
５ｂ…タイムラプス画像処理回路
６，２６…操作部
７，２７…表示部
８…ハードディスク
８ａ…静止画像データ記憶部
８ｂ…動画像データ記憶部
９…ＣＰＵ
９ａ…静止画像記憶制御回路
９ｂ…動画像変換回路
９ｃ…動画像記憶制御回路
９ｄ…静止画像選択回路
１０…メモリ
２５…画像処理部
２５ａ…モード設定回路
２５ｂ…動画像生成回路
２８…ハードディスク
２８ａ…動画像データ一時記憶部
２８ｂ…動画像データ記憶部
２９…ＣＰＵ
２９ａ…動画像一時記憶制御回路
２９ｂ…動画像選択回路
２９ｃ…動画像記憶制御回路
３０…メモリ
１００…カメラ
【図１】
2010016599.tif 000003
【図２】
2010016599.tif 000004
【図３】
2010016599.tif 000005
【図４】
2010016599.tif 000006
【図５】
2010016599.tif 000007
【図６】
2010016599.tif 000008
【図７】
2010016599.tif 000009
【図８】
2010016599.tif 000010
【図９】
2010016599.tif 000011
【図１０】
2010016599.tif 000012
【図１１】
2010016599.tif 000013
【図１２】
2010016599.tif 000014
【図１３】
2010016599.tif 000015
【図１４】
2010016599.tif 000016